(57)【要約】      （修正有）【課題】従来の杖の長さ調節機構とは異なり、支柱パイプと同径のスペーサーとを一体として利用して長さを調節することにより、座ることによりかかる重い体重を確実に支え、安心して使用可能な座れる杖とする。【解決手段】座席兼用取っ手２と、支柱パイプ３と、支柱パイプを受けるガイドパイプ４と、支柱パイプの下方に連結される連結杖先８と、座席高さ決定用の第１の調節機構１３と、着席時と歩行時の高さ切替用の第２の調節機構１５とを有する座れる杖に次の手段を採用する。第１に、連結杖先８は、支柱パイプ内を摺動可能な接続パイプと、接続パイプの下端の支柱止め鍔部を有する接地部材とによりなる。第２に、第１の調節機構１３は、接続パイプの位置決定突起と、支柱パイプに設けられた位置決定穴と、支柱パイプと同形の内径及び外径を有する取り外し可能なスペーサーとによりなる。【選択図】図１
2016168074.tif 000002
【特許請求の範囲】
【請求項１】
上端に設けられた座席兼用取っ手と、該座席兼用取っ手より下方へと設けられた支柱パイプと、前記座席兼用取っ手底面に固定されて前記支柱パイプを摺動固定可能に受けるガイドパイプと、前記支柱パイプの下方へと伸長固定可能に連結される連結杖先と、該連結杖先と前記支柱パイプの連結部分に設けられる前記座席高さ決定用の第１の調節機構と、前記支柱パイプと前記ガイドパイプの連結部分に設けられる着席時と歩行時の高さ切替用の第２の調節機構とを有する座れる杖において、
前記連結杖先が、前記支柱パイプの内径と同じ外径を有して該支柱パイプ内を摺動可能な接続パイプと、該接続パイプの下端に前記支柱パイプの外径より大きな平面部を有する支柱止め鍔部を有する接地部材とにより構成され、
前記第１の調節機構が、前記接続パイプに設けられた位置決定突起と、前記接続パイプを引き出す距離に応じた位置の前記支柱パイプに設けられた前記位置決定突起を受ける位置決定穴と、前記支柱パイプと同形の内径及び外径を有して前記接続パイプに摺動自在に装着される取り外し可能なスペーサーとによりなり、
前記接続パイプを伸長方向に引き出し、前記位置決定突起と前記位置決定穴により座席高さ決定のための伸長間隔を決定し、前記接続パイプの引き出しにより生じる前記支柱パイプ下端から前記支柱止め鍔部までの間に前記スペーサーを装着することを特徴とする座れる杖。
【請求項２】
上記ガイドパイプが、上記座席兼用取っ手底面に固定された支柱パイプ当接固定板部と上記支柱パイプが摺動固定可能なパイプ部を連設したもので、
前記支柱パイプが、該ガイドパイプ内で前記支柱パイプ当接固定板部までスプリングにより牽引されるよう装着されており、
上記第２の調節機構が、前記支柱パイプを前記ガイドパイプより引き出して歩行時における上記座れる杖の適正な長さとなる位置の前記ガイドパイプに設けられる固定穴と、該固定穴に対応する位置の前記支柱パイプに設けられる固定突起と、前記ガイドパイプの固定穴の上方に設けられる解除ボタンとによりなるもので、
前記支柱パイプを、前記ガイドパイプ内で前記座れる杖の長さ伸長方向に引き出すことにより、前記固定穴に前記固定突起を固定させて前記支柱パイプを前記ガイドパイプ内で前記支柱パイプ当接固定板部に向かって前記スプリングにより付勢された状態で停止させることにより歩行時における前記座れる杖の長さを決定し、
前記解除ボタンで固定を解除することにより、前記スプリングの作用で前記支柱パイプが前記支柱パイプ当接固定板部まで牽引誘導されるようにして着席時の前記座れる杖の位置を決定するものである、ことを特徴とする請求項１に記載の座れる杖。
【請求項３】
上記第１の調節機構におけるスペーサーが、長さの異なる複数のスペーサーよりなると共に、上記位置決定穴が、該スペーサーの数に応じた数で応じた間隔で設けられていることを特徴とするを請求項１又は２に記載の座れる杖。
【発明の詳細な説明】
【技術分野】
【０００１】
本発明は、座れる杖に関するものであり、多様な身長の使用者が希望する座る高さに合わせて伸縮可能であり、且つ、歩行時の杖の長さから、瞬時に座るに適した座席の高さに切替可能な座れる杖の改良に関するものである。
【背景技術】
【０００２】
従来より、特許文献１に示されるように、高さが調節可能なステッキ及び椅子の発明が開示されていた。該発明は、第一ストッパにより支柱が伸びた状態を保持してステッキとして使用し、椅子として使用するときは、第一ストッパを解除して支柱を縮めるものであり、その際、ショックアブソーバにより、筒体と摺動体で構成される支柱の摺動体がゆっくりと下方に移動し、第二ストッパにより移動が停止され、使用者はステッキを腰掛ける際の補助として、容易に使用することができるというものであった。
【０００３】
しかし、この特許文献１記載の発明は、ステッキを補助的に腰掛けることができるようにするものではあるが、使用者の必要や好みで座る高さを調節できるものではなかった。更に、特許文献１記載の発明や従来より存在する杖、ステッキの類では、長さが調節可能であるが、長さを調節した場合の固定手段は、ピン止めによる固定や締め付けによる固定がほとんどであり、杖やステッキとして歩行時の荷重に対しては十分堪えられるものであったが、椅子として使用者の体重を支えるには十分とは言えるものではなかったし、堪えられるものであっても使用者に座ることへの不安を与えるものであった。
【先行技術文献】
【特許文献】
【０００４】
【特許文献１】特開平１１−３０９００７号公開特許公報
【発明の概要】
【発明が解決しようとする課題】
【０００５】
本発明は以下の課題を解決しようとするものである。
第１に、伸長及び固定可能な連結杖先と交換可能なスペーサー（カラー部材）を使用することにより、杖の長さを伸長、短縮させ、使用者が必要とし、又は、好む高さに合わせて座席を設定可能な座れる杖を提供しようとするものである。
【０００６】
第２に、従来の杖やステッキと称されるものにおける長さ調節機構とは異なり、支柱パイプと同径のスペーサーとを一体として利用することにより、座ることによりかかる重い体重を確実に支え、安心して使用可能な座れる杖を提供することを目的とする。
【０００７】
通常、歩行の際に杖として使用する際の高さは、座る際の高さよりは高いのが通常であるので、切替の際に、その高さの調節が必要である。第２の発明では、この切替をワンタッチで簡単に行うことが可能な座れる杖を提供することを目的とする。
【０００８】
尚、第３の発明では、座席を複数の高さに対応させることが可能な座れる杖を提供し、数多くの所望の座席高さを設定できる座れる杖とすることを目的とする。
【課題を解決するための手段】
【０００９】
上記課題を解決するために、第１の発明は、座れる杖に次の手段を採用した。
第１に、上端に設けられた座席兼用取っ手と、該座席兼用取っ手より下方へと設けられた支柱パイプと、前記座席兼用取っ手底面に固定されて前記支柱パイプを摺動固定可能に受けるガイドパイプと、前記支柱パイプの下方へと伸長固定可能に連結される連結杖先と、該連結杖先と前記支柱パイプの連結部分に設けられる前記座席高さ決定用の第１の調節機構と、前記支柱パイプと前記ガイドパイプの連結部分に設けられる着席時と歩行時の高さ切替用の第２の調節機構とを有する座れる杖である。
【００１０】
第２に、前記連結杖先が、前記支柱パイプの内径と同じ外径を有して該支柱パイプ内を摺動可能な接続パイプと、該接続パイプの下端に前記支柱パイプの外径より大きな平面部を有する支柱止め鍔部を有する接地部材とにより構成される。
【００１１】
第３に、前記第１の調節機構が、前記接続パイプに設けられた位置決定突起と、前記接続パイプを引き出す距離に応じた位置の前記支柱パイプに設けられた前記位置決定突起を受ける位置決定穴と、前記支柱パイプと同形の内径及び外径を有して前記接続パイプに摺動自在に装着される取り外し可能なスペーサーとによりなり、前記接続パイプを伸長方向に引き出し、前記位置決定突起と前記位置決定穴により座席高さ決定のための伸長間隔を決定し、前記接続パイプの引き出しにより生じる前記支柱パイプ下端から前記支柱止め鍔部までの間に前記スペーサーを装着するものである。
【００１２】
第２の発明は、第１の発明に次の手段を付加した座れる杖である。
第１に、上記ガイドパイプが、上記座席兼用取っ手底面に固定された支柱パイプ当接固定板部と上記支柱パイプが摺動固定可能なパイプ部を連設したもので、前記支柱パイプが、該ガイドパイプ内で前記支柱パイプ当接固定板部までスプリングにより牽引されるよう装着されている。
【００１３】
第２に、上記第２の調節機構が、前記支柱パイプを前記ガイドパイプより引き出して歩行時における上記座れる杖の適正な長さとなる位置の前記ガイドパイプに設けられる固定穴と、該固定穴に対応する位置の前記支柱パイプに設けられる固定突起と、前記ガイドパイプの固定穴の上方に設けられる解除ボタンとによりなるもので、前記支柱パイプを、前記ガイドパイプ内で前記座れる杖の長さ伸長方向に引き出すことにより、前記固定穴に前記固定突起を固定させて前記支柱パイプを前記ガイドパイプ内で前記支柱パイプ当接固定板部に向かって前記スプリングにより付勢された状態で停止させることにより歩行時における前記座れる杖の長さを決定し、前記解除ボタンで固定を解除することにより、前記スプリングの作用で前記支柱パイプが前記支柱パイプ当接固定板部まで牽引誘導されるようにして着席時の前記座れる杖の位置を決定するものである。
【００１４】
第３の発明は、第１又は第２の発明の第１の調節機構におけるスペーサーが、長さの異なる複数のスペーサーよりなると共に、上記位置決定穴が、該スペーサーの数に応じた数で応じた間隔で設けられていることを付加した座れる杖である。
【発明の効果】
【００１５】
第１の発明は、第１に、支柱パイプに対して伸長及び固定可能な連結杖先と交換可能なスペーサーとを使用するものであるので、連結杖先を引き出し、もしくは、挿入し、固定することで、杖の長さを伸長、短縮させ、使用者が必要とし、又は、好む高さに合わせて安心して使用できる座席を設定可能な座れる杖を提供することができた。
【００１６】
第２に、従来の杖やステッキと称されるものにおける長さ調節機構における位置決定手段のような一部的ピン止め固定ではなく、支柱パイプ当接固定板部と支柱止め鍔部との間に支柱パイプと同径のスペーサーとを一体として設置するものであるので、座席を一連の支柱パイプで支えることになり、座ることによりかかる重い体重に確実に堪え、安心して座ることが可能な座れる杖を提供することができた。
【００１７】
第２の発明の効果ではあるが、ガイドパイプ内で支柱パイプが支柱パイプ当接固定板部までスプリングで牽引されるよう装着されており、歩行時などに杖として利用している状態では、支柱パイプは、ガイドパイプ内で伸長され支柱パイプ当接固定板部より離れた状態で固定されているが、この時、支柱パイプは、スプリングにより支柱パイプ当接固定板部に向かって付勢されているので、解除ボタンで固定を解除することにより、ワンタッチで、即座に支柱パイプが支柱パイプ当接固定板部に牽引され、着席時の状態とすることができるものとなった。
【００１８】
第３の発明の効果ではあるが、長さの異なる複数のスペーサーを用いることにより、座席の位置を複数の高さに対応させることのできる座れる杖を提供することができた。
【図面の簡単な説明】
【００１９】
【図１】座れる杖の一実施例を示す正面図
【図２】同側面図
【図３】同平面図
【図４】座席兼用取っ手の構造を示すＡ−Ａ線断面図
【図５】連結杖先と支柱パイプとの関係を示す断面図
【図６】第１の調節機構を示す断面図
【図７】第１の調節機構による調節例を示す説明図で、（ａ）は第１段階の高さである、スペーサーを使用しない一番低い状態の調節例であり、（ｂ）は第２段階の高さである、スペーサーＳ１を使用した状態の調節例であり、（ｃ）は第３段階の高さである、スペーサーＳ２を使用した状態の調節例であり、（ｄ）は第４段階の高さである、スペーサーＳ３を使用した状態の調節例であり、（ｅ）は第５段階の高さである、スペーサーＳ１とＳ３とを使用した状態の調節例であり、（ｆ）は第６段階の高さである、スペーサーＳ２とＳ３とを使用した状態の調節例であり、（ｇ）は第７段階の高さである、スペーサーＳ１とＳ２とＳ３とを使用した一番高い状態の調節例である。
【図８】第２の調節機構を示す断面図で、（１）は支柱パイプが下方に引き伸ばされた歩行時の状態を示す図であり、（２）は支柱パイプが座席兼用取っ手に向かって牽引誘導される状態を示す図であり、（３）は支柱パイプが座席兼用取っ手に当接した着席時の状態を示す図である。
【発明を実施するための形態】
【００２０】
以下、図面に従って、本発明を実施する形態について説明する。図１は座れる杖の一実施例を示す正面図であり、図２は同側面図であり、図３は同平面図である。図中符号１は、本発明の一実施例の座れる杖を示す。
【００２１】
座れる杖１は、上端に設けられた座席兼用取っ手２と、該座席兼用取っ手２より下方へと設けられた支柱パイプ３と、前記座席兼用取っ手２の底面に固定されて前記支柱パイプ３を摺動固定可能に受けるガイドパイプ４と、前記支柱パイプ３の下方へと伸長固定可能に連結される連結杖先８と、連結杖先８と支柱パイプ３の連結部分に設けられる座席高さ決定用の第１の調節機構１３と、支柱パイプ３とガイドパイプ４の連結部分に設けられる着席時と歩行時の高さ切替用の第２の調節機構１５とを有する。
【００２２】
座席兼用取っ手２の詳細は、図４の座席兼用取っ手２の構造を示すＡ−Ａ線断面図に示される。即ち、座席用取っ手２は、略Ｙ字状に曲折した鉄などの金属丸棒２０の広がり部分に座席部構成板材２１を固着板２２を介して固着し、広がり部分の反対側の折り返し直線部分に取っ手部構成用パイプ２４を固着し、その全体を柔らかさのある皮革２５などで被覆したものである。図３中２３が座席部であり、２６が取っ手部である。尚、取っ手部２６を握る場合は、重心が位置する支柱パイプ３の上方を握るのが好ましいので、座席部２３側より取っ手部２６先端に向かって握ることが好ましい。尚、図中２７は、ガイドパイプ４を座席兼用取っ手２に固着するための固着パイプである。
【００２３】
ガイドパイプ４は、固着パイプ２７の下方に固着される。該ガイドパイプ４は、図８に示されるように、上方で固着パイプ２７に直接固着される支柱パイプ当接固定板部５と、該支柱パイプ当接固定板部５に連結されたパイプ部６とよりなる。パイプ部６の内径は、支柱パイプ３が摺動可能なるよう支柱パイプ３の外径に合わせてある。尚、パイプ部６の長さは、支柱パイプ３の上端付近が摺動するのに適し、且つ、後述する第２の調節機構１５を設けることが可能な長さに決定されている。
【００２４】
支柱パイプ３は、座れる杖１の長さ決定の基本となる長さを有する。尚、座れる杖１の長さは、第１の調節機構１３及び第２の調節機構１５により調節可能とされてる。  支柱パイプ３は、支柱パイプ当接固定板部５に装着されたスプリング７により、ガイドパイプ４のパイプ部６内で支柱パイプ当接固定板部５まで牽引されるよう装着されている。
【００２５】
連結杖先８は、支柱パイプ３の下端部に装着される。連結杖先８は、図５及び６に示されるように、支柱パイプ３の内径と同じ外径を有して支柱パイプ３内を摺動可能な接続パイプ９と、該接続パイプ９の下端に支柱パイプ３の外径より大きな平面部１２を有する支柱止め鍔部１０を有する接地部材１１とにより構成される。尚、連結杖先８と支柱パイプ３の下端部に第１の調節機構１３が設けられている。
【００２６】
第１の調節機構１３は、座席部２３に座るに適した高さに調節するための機構であって、図６に示されるように連結杖先８の接続パイプ９に設けられた位置決定突起１４と、接続パイプ９を引き出す距離に応じた位置の支柱パイプ３に設けられた位置決定穴Ｈ０、Ｈ１、Ｈ２、Ｈ３、Ｈ４、Ｈ５、Ｈ６と、支柱パイプ３と同形の内径及び外径を有して接続パイプ９に摺動自在に装着される取り外し可能なスペーサーＳ１、Ｓ３とによりなる。
【００２７】
尚、図６ではスペーサーＳ１とスペーサーＳ３を用いているが、本実施例では、座る高さを７段階で調節しようとするものであるので、高さの異なるスペーサーＳ１、スペーサーＳ３の他にスペーサーＳ２の３種類のスペーサーＳ１、Ｓ２、Ｓ３を用いている。実施例では、スペーサーＳ２は、スペーサーＳ１の２倍の長さを有し、スペーサーＳ３は、スペーサー１の３倍の長さを有している。
【００２８】
第１の調節機構１３は、図６に示されるように、接続パイプ９を支柱パイプ３より伸長方向（図中下方）に引き出し、位置決定突起１４を所定の位置決定穴Ｈ４に嵌合させ、座席部２３の高さを決定し、接続パイプ９の引き出しにより生じた支柱パイプ３の下端と支柱止め鍔部１０との間の支柱パイプ３のない部分にスペーサーＳ１、Ｓ３を装着するものである。
【００２９】
第１の調節機構１３の調節例を図７に従って説明する。図７（ａ）は、第１段階の高さでの調節例である。座るに適した高さが一番低い状態への調節例である。この場合は、スペーサーを使用せず、接続パイプ９に設けられた位置決定突起１４を支柱パイプ３に設けられた位置決定穴Ｈ０と嵌合させる。位置決定穴Ｈ０は、その位置で位置決定突起１４を嵌合させたときに、支柱パイプ３の下端が支柱止め鍔部１０に当接する高さ位置に設けられている。
【００３０】
図７（ｂ）は第２段階の高さでの調節例である。スペーサーＳ１を使用した状態の調節例である。この場合は、接続パイプ９に設けられた位置決定突起１４を支柱パイプ３に設けられた位置決定穴Ｈ１と嵌合させる。位置決定穴Ｈ１は、位置決定穴Ｈ０よりスペーサーＳ１の長さ分下方に設けられている。
【００３１】
図７（ｃ）は第３段階の高さでの調節例である。スペーサーＳ２を使用した状態の調節例である。この場合は、接続パイプ９に設けられた位置決定突起１４を支柱パイプ３に設けられた位置決定穴Ｈ２と嵌合させる。位置決定穴Ｈ２は、位置決定穴Ｈ０よりスペーサーＳ２の長さ分下方に設けられている。尚、スペーサーＳ２は、スペーサーＳ１の２倍の長さを有するものであるので、位置決定穴Ｈ０と位置決定穴Ｈ１の間隔と、位置決定穴Ｈ１と位置決定穴Ｈ２との間隔は等しいものとなる。
【００３２】
図７（ｄ）は第４段階の高さでの調節例である。スペーサーＳ３を使用した状態の調節例である。この場合は、接続パイプ９に設けられた位置決定突起１４を支柱パイプ３に設けられた位置決定穴Ｈ３と嵌合させる。位置決定穴Ｈ３は、位置決定穴Ｈ０よりスペーサーＳ３の長さ分下方に設けられている。尚、スペーサーＳ３は、スペーサーＳ１の３倍の長さを有するものであるので、位置決定穴Ｈ０と位置決定穴Ｈ１の間隔と、位置決定穴Ｈ１と位置決定穴Ｈ２との間隔と、位置決定穴Ｈ２と位置決定穴３との間隔は３つとも等しいものとなる。
【００３３】
図７（ｅ）は第５段階の高さでの調節例である。スペーサーＳ１とＳ３とを使用した状態の調節例である。この場合は、接続パイプ９に設けられた位置決定突起１４を支柱パイプ３に設けられた位置決定穴Ｈ４と嵌合させる。図７（ｆ）は第６段階の高さでの調節例である。スペーサーＳ２とＳ３とを使用した状態の調節例である。この場合は、接続パイプ９に設けられた位置決定突起１４を支柱パイプ３に設けられた位置決定穴Ｈ５と嵌合させる。
【００３４】
図７（ｇ）は第７段階の高さでの調節例である。座るに適する高さが一番高い状態の調節例である。この場合は、スペーサーＳ１とＳ２とＳ３とを使用し、接続パイプ９に設けられた位置決定突起１４を支柱パイプ３に設けられた位置決定穴Ｈ６と嵌合させる。尚、位置決定穴Ｈ４、Ｈ５、Ｈ６も、スペーサーＳ１、Ｓ２、Ｓ３の組み合わせで位置が決定されているため、全て等間隔で設けられている。
【００３５】
第２の調節機構１３は、支柱パイプ３をガイドパイプ４より引き出して歩行時における座れる杖１の適正な長さとなる位置に固定するための機構である。この第２の調節機構１３は、ガイドパイプ４のパイプ部６の前後に２箇所設けられる固定穴１６と、該固定穴１６に対応する位置の支柱パイプ３に設けられる固定突起１７と、固定穴１６の上方に設けられる解除ボタン１８とによりなる。
【００３６】
第２の調節機構１３では、支柱パイプ３を、ガイドパイプ４内で前記座れる杖１の長さ伸長方向（図８中下方）に引き出すことにより、固定穴１６に固定突起１７を嵌合させて支柱パイプ３をガイドパイプ４内で支柱パイプ当接固定板部５に向かってスプリング７により付勢された状態で停止固定させることにより歩行時における座れる杖１の長さを決定している。
【００３７】
解除ボタン１８で固定を解除することにより、スプリング７の作用で支柱パイプ３が支柱パイプ当接固定板部５まで牽引誘導される。このようにして着席時の座れる杖１の位置が決定される。この状態では支柱パイプ３の上端が支柱パイプ当接固定板部５に直接接しているため着席による荷重を支柱パイプ３が直接受けることになり、更に、支柱パイプ３の下端、もしくは、支柱パイプ３と一体となったスペーサーにより支柱止め鍔部１０に直接荷重されるため、体重を支柱パイプ３全体で支えることと同様の耐久力と安全性を確保できる座れる杖となった。
【符号の説明】
【００３８】
１・・・・・座れる杖
２・・・・・座席兼用取っ手
３・・・・・支柱パイプ
４・・・・・ガイドパイプ
５・・・・・支柱パイプ当接固定板部
６・・・・・パイプ部
７・・・・・スプリング
８・・・・・連結杖先
９・・・・・接続パイプ
１０・・・・支柱止め鍔部
１１・・・・接地部材
１２・・・・平面部
１３・・・・第１の調節機構
１４・・・・位置決定突起
１５・・・・第２の調節機構
１６・・・・固定穴
１７・・・・固定突起
１８・・・・解除ボタン
２０・・・・金属丸棒
２１・・・・座席部構成板材
２２・・・・固着板
２３・・・・座席部
２４・・・・取っ手部構成用パイプ
２５・・・・皮革
２６・・・・取っ手部
２７・・・・固着パイプ
Ｈ０、Ｈ２、Ｈ３、Ｈ４、Ｈ５、Ｈ６・・・・位置決定穴
Ｓ１、Ｓ２、Ｓ３・・・・・・・・・・・・・スペーサー
【図１】
2016168074.tif 000003
【図２】
2016168074.tif 000004
【図３】
2016168074.tif 000005
【図４】
2016168074.tif 000006
【図５】
2016168074.tif 000007
【図６】
2016168074.tif 000008
【図７】
2016168074.tif 000009
【図８】
2016168074.tif 000010